(57)【要約】      （修正有）【課題】調理時に鍋のような調理容器の周囲の熱損失を容易に減らし、海岸の岩上でも容易に立てられ、場所にかかわらず、ガスレンジの燃焼熱で食べ物を容易に調理することができるアウトドア用ガスレンジの防風板を提供する。【解決手段】第１板体１と第２板体２との間には、複数の中間板体３がヒンジ結合され、第１板体１は、係止体１１を備え、第２板体２は、係止体１１の係止部に引っ掛かるフック部材を備え、フック部材は、第２板体２に設けられるフック穴１２で形成され、フック穴１２は、第１穴と、第１穴と連結され、係止体１１の段部を挿入可能な第２穴を備え、第１板体１、第２板体２または複数の中間板体３のうち少なくとも一つ以上の下側には、通気口１４が形成され、係止体１１とフック部材の上側の一部とには、切欠部１ａ、２ａが形成されるアウトドア用ガスレンジの防風板。【選択図】図１
2013205008.tif 000002
【特許請求の範囲】
【請求項１】
第１板体と、第２板体と、前記第１板体と前記第２板体との間に設けられヒンジ結合により連結された複数の中間板体と、からなり、
前記第１板体は、小直径の係止部と大直径の段部とを有する係止体を備え、
前記第２板体は、前記係止体に着脱可能に設けられ、前記第１板体と第２板体とを結合または分離するフック部材を備え、
前記フック部材は、前記第２板体に設けられるフック穴で形成され、
前記フック穴は、前記係止体の段部の直径よりも小さく、前記係止体の係止部の直径よりも大きいかまたは等しい幅を有する第１穴と、前記第１穴と連結され、前記係止体の段部を挿入可能な第２穴とからなり、
前記第１板体、前記第２板体または前記複数の中間板体のうち少なくとも一つ以上の下側には、通気口が形成され、
前記第１板体の前記係止体の上側の一部と前記第２板体の前記フック部材の上側の一部とには、切欠部が形成され、
前記切欠部は、調理容器の取っ手が外部に突出可能に形成される、
アウトドア用ガスレンジの防風板。
【発明の詳細な説明】
【技術分野】
【０００１】
本発明は、アウトドア用ガスレンジの防風板に関し、より詳しくは、ガスレンジの周囲を取り囲んだ状態を維持させ、調理時に鍋等の周囲の熱損失を容易に減らし、海岸の岩上でも容易に立てられ、場所にかかわらず、ガスレンジの燃焼熱で食べ物を容易に調理可能にするアウトドア用ガスレンジの防風板に関する。
【背景技術】
【０００２】
一般に、ガスレンジは、魚釣りのような野外環境において、食べ物を調理するための道具の一つであり、野外では、外部の風からガスレンジの火力を保護する必要があるため、ガスレンジの一部または全体を取り囲む防風板が用いられる。
【０００３】
このようなガスレンジの全体を取り囲む防風板は、屏風式で形成される。この屏風式防風板は、複数の板体がヒンジ結合された構造であり、高さが高く形成され、ガスレンジに吹いてくる風を防ぐように広げて、ガスレンジの一部を取り囲むように設けられる。
【０００４】
また、このような防風板は、風力によって倒されてしまうため、結合された複数の板体のうち両端にある板体を、地面に打ち込むピン等で固定し、風力により倒されないようにして使用される。
【発明の概要】
【発明が解決しようとする課題】
【０００５】
しかし、上記した従来技術は、ピンを打ち込めない海岸の岩上等では使用し難いという短所があった。
【０００６】
本発明は、上記問題点に鑑みなされたものであり、その目的は、ガスレンジの周囲を取り囲んだ状態を維持させ、調理時に鍋等の周囲の熱損失を容易に減らし、海岸の岩上でも容易に立てられ、場所にかかわらず、ガスレンジの燃焼熱で食べ物を容易に調理することができるアウトドア用ガスレンジの防風板を提供することにある。
【課題を解決するための手段】
【０００７】
上記課題を解決するために、本発明のある観点によれば、第１板体と、第２板体と、第１板体と第２板体との間に設けられヒンジ結合により連結された複数の中間板体と、からなり、第１板体は、小直径の係止部と大直径の段部とを有する係止体を備え、第２板体は、係止体に着脱可能に設けられ、第１板体と第２板体とを結合または分離するフック部材を備え、フック部材は、第２板体に設けられるフック穴で形成され、フック穴は、係止体の段部の直径よりも小さく、係止体の係止部の直径よりも大きいかまたは等しい幅を有する第１穴と、第１穴と連結され、係止体の段部を挿入可能な第２穴とからなり、第１板体、第２板体または複数の中間板体のうち少なくとも一つ以上には複数の下側は、通気口が形成され、第１板体の係止体の上側の一部と第２板体のフック部材の上側の一部とには、切欠部が形成され、切欠部は、調理容器の取っ手が外部に突出可能に形成される、アウトドア用ガスレンジの防風板が提供される。
【発明の効果】
【０００８】
以上説明したように本発明によれば、防風板がガスレンジの周囲を取り囲んだ状態が維持され、調理時に鍋のような調理容器の周囲の熱損失を容易に減らし、海岸の岩上でも防風板を容易に立てられ、場所にかかわらず、ガスレンジの燃焼熱で食べ物を容易に調理することができるという利点がある。
【図面の簡単な説明】
【０００９】
【図１】本発明の実施形態に係るアウトドア用ガスレンジの防風板の一例を示す展開正面図である。
【図２】図１のアウトドア用ガスレンジの防風板の使用状態を示す正面図である。
【図３】図２の線Ａ‐Ａによる断面図である。
【図４】本発明の実施形態に係るアウトドア用ガスレンジの防風板の他の例を示す正面図である。
【発明を実施するための形態】
【００１０】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１１】
図１は、本発明の実施形態に係るアウトドア用ガスレンジの防風板の一例を示す展開正面図である。図２は、図１のアウトドア用ガスレンジの防風板の使用状態を示す正面図である。図３は、図２の線Ａ‐Ａによる断面図である。本実施形態に係る防風板は、第１板体１と第２板体２との間に複数の中間板体３が高さ方向と略直交する連
結方向にヒンジ結合されてなり、ガスレンジ４の周囲を取り囲み可能な構造となっている。
【００１２】
また、本実施形態に係る防風板では、ヒンジ結合された複数の中間板体３のうち連結方向両端側に位置する中間板体３それぞれに第１板体１と第２板体２とがヒンジ結合により結合されている。なお、第１板体１、第２板体２及び中間板体３各板体をまとめて板体ともいう。
【００１３】
第１板体１には、小直径の係止部１１ａと大直径の段部１１ｂとを有する係止体１１が設けられ、第２板体２には、係止体１１の係止部１１ａに引っ掛かるフック部材が設けられる。
【００１４】
係止体１１にフック部材を着脱させることにより、第１板体１と第２板体２とを結合または分離させることができる。したがって、第１板体１と第２板体２とを結合させた状態でガスレンジ４の周囲を取り囲むことにより、防風板がガスレンジと全体的に結合され、海岸の岩上でも立てられた状態を維持し易くなる。
【００１５】
一例として、フック部材は、第２板体１に形成されるフック穴１２で形成される。フック穴１２は、板体の連結方向における幅が、係止体１１の段部１１ｂの直径よりも小さく、係止体１１の係止部１１ａの直径よりも大きいかまたは等しい第１穴１２ａと、この第１穴１２ａと連結され、係止体１１の段部１１ｂが貫通可能な大きさの第２穴１２ｂとからなる。また、係止体１１と第１穴１２ａとは、高さ方向に対応する位置に設けられる。この場合、係止体１１と第１穴１２ａとが連結されると、第１板体１、第２板体２、中間板体３からなる防風板の底面側部分が高さ方向に垂直な平面内にあるようになる。これにより、設置した際に防風板ががたつくのを防止できる。
【００１６】
ここで、係止体１１とフック部材であるフック穴１２を結合させる場合、フック穴１２の第２穴１２ｂから係止体１１の段部１１ｂを挿通した後、第２板体２を動かし、フック穴１２の第１穴１２ａに係止体１１の係止部１１ａを位置させることで、係止体１１とフック穴１２を簡便に結合させることができる。
【００１７】
図４は、本発明の実施形態に係るアウトドア用ガスレンジの防風板の他の例を示す正面図である。図４で示す他の例では、フック部材は、フック体１３で形成される。フック体１３は、第２板体２にヒンジ等で回動可能に結合され、回動して係止体１１に係止される位置において、フック体１３の高さ方向下側に溝１３ａを有する。溝１３ａは、フック体１３が回動して係止体１１に係止する位置において、板体の連結方向の幅が、係止体１１の段部１１ｂの直径よりも小さく、係止体１１の係止部１１ａの直径よりも大きいかまたは等しく形成される。
【００１８】
ここで、係止体１１とフック部材であるフック体１３とを結合させる場合、図４の部分拡大図内に示すように、一点鎖線で表す位置にあるフック体１３を回転させ、実線で表すフック体１３の溝１３ａを係止体１１の係止部１１ａに係止させることで、係止体１１とフック体１３とを簡便に結合させることができる。
【００１９】
また、上述した防風板でガスレンジ４の周囲を取り囲むと、外部から防風板の内側に流入する空気量が少なくなり、ガスレンジ４の燃料が不完全燃焼を引き起こす恐れがあるため、本実施形態では、第１板体１、第２板体２及び複数の中間板体３のいずれか一つまたは複数の下側に通気口１４を形成する。
【００２０】
また、本実施形態では、第１板体１の係止体１１の上側の一部と、第２板体２のフック部材の上側の一部とに切欠部１ａ、２ａが形成される。本実施形態による防風板は、ガスレンジ４に載せられた鍋やコッヘル等の調理容器５の周囲の熱損失を減らすために、少なくともバーナー部分が隠れるように防風板の高さが高く形成され、ガスレンジ４の周囲を完全に取り囲む構造を有する。この場合、調理容器５の一定高さ以上の部位を取り囲むと、調理容器５の取っ手５ａ等の突出した部位が防風板と干渉する恐れがある。そこで、実施形態では、切欠部１ａ、２ａを設け、調理容器５の取っ手５ａを切欠き部１ａ、２ａから外部に突出させることで、調理容器５の周囲の熱損失を減らしながらも、調理容器５の突出した部位と防風板との干渉を防止することが可能となる。
【００２１】
このような本実施形態によるアウトドア用ガスレンジの防風板は、海岸の岩上のような場所にガスレンジ４を置き、防風板でガスレンジ４の周囲を全体的に取り囲み、第２板体２のフック穴１２またはフック体１３と第１板体１の係止体１１とを結合させ、第１板体１と第２板体２を結合させることで、ガスレンジ４を安定して取り囲むだけでなく、ガスレンジ４を取り囲んだ状態を容易に維持することができる。
【００２２】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００２３】
例えば、図１〜３に記載の実施形態では、第１穴１２ａは、第２穴１２ｂの高さ方向上側に位置しているが、本発明はかかる例に限定されない。例えば、第１穴１２ａは、第２穴１２ｂの高さ方向下側に位置してもよい。
【符号の説明】
【００２４】
１、２          第１、第２板体
１ａ、２ａ      切欠部
３              中間板体
４              ガスレンジ
５              調理容器
５ａ            取っ手
１１            係止体
１１ａ          係止部
１１ｂ          段部
１２            フック穴
１２ａ、１２ｂ  第１、第２穴
１３            フック体
１４            通気口
【図１】
2013205008.tif 000003
【図２】
2013205008.tif 000004
【図３】
2013205008.tif 000005
【図４】
2013205008.tif 000006